(57)【要約】      （修正有）【課題】加工物の加工精度と全体構造の強度が向上した加工機械を提供する。【解決手段】水平面に沿う上面を有する台座１０と、台座１０の上面に立設されている立棒１２と、立棒１２の前面に、上下昇降することができるように取り付けられている工具台４０と、立棒１２の前方の台座１０の上面に、加工物１００を載置しながら前後左右に移動し、その工具台４０に相対する位置を調整することができるように取り付けられている加工物保持台３０とからなった加工機械において、加工物保持台３０には、台座１０の上面への垂直線を軸として回転しながら加工物を載置する回転台３２が設置されており、工具台４０の工具を台座１０の上面に対して垂直に取り付けてなる軸線４２と立棒１２の前面との間の距離Ｌ１’は、加工物保持台３０の立棒１２の前面への移動できる距離Ｌ２’より短くする。【選択図】図３
0003111613.tif 000002
【実用新案登録請求の範囲】
【請求項１】
水平面に沿う上面を有する台座と、前記台座の上面に立設されている立棒と、前記立棒の前面に、上下昇降することができるように取り付けられている工具台と、前記立棒の前方の前記台座の上面に、加工物を載置しながら前後左右に移動し、前記工具台に相対する位置を調整することができるように取り付けられている加工物保持台とからなった加工機械において、
前記加工物保持台には、前記台座の上面への垂直線を軸として回転しながら加工物を載置する回転台が設置されており、
前記工具台の工具を前記台座の上面に対して垂直に取り付けてなる軸線と前記立棒の前面との間の距離は、前記加工物保持台の前記立棒の前面への移動できる距離より短いことを特徴とする加工機械。
【請求項２】
水平面に沿う上面を有する台座と、前記台座の上面に立設されている立棒と、前記立棒の前面に、上下昇降することができるように取り付けられている工具台と、前記立棒の前方の前記台座の上面に、加工物を載置しながら前後左右に移動し、前記工具台に相対する位置を調整することができるように取り付けられている加工物保持台とからなった加工機械において、
前記加工物保持台は、前記台座の上面に沿って前後左右に移動することができるように設置構成されている摺動台と、前記摺動台に前記台座の上面への垂直線を軸として回転しながら加工物を載置することができるように設置構成されている回転台とを備えており、
前記工具台の工具を前記台座の上面に対して垂直に取り付けてなる軸線と前記立棒の前面との間の距離は、前記加工物保持台の前記立棒の前面への移動できる距離より短いことを特徴とする加工機械。
【請求項３】
前記摺動台は、前記台座の上面に沿って前後移動することができるように設置構成されている第１のスライド台と、前記第１のスライド台の上面に沿って左右移動することができるように設置構成されている第２のスライド台とからなっていて、前記第１のスライド台によって前後移動し、前記第２のスライド台によって左右移動することを特徴とする請求項２に記載の工作機械。
【請求項４】
前記立棒は、上下形状がほぼ一致しているものであることを特徴とする請求項１〜３のいずれか一項に記載の加工機械。
【考案の詳細な説明】
【技術分野】
【０００１】
本考案は加工機械に関し、特に、対称性加工物件の加工に適合する加工機械に関する。
【背景技術】
【０００２】
従来の加工機械は、図１、２に示すように、水平面に沿う上面を有する台座１と、台座１の上面に立設されている立棒１０２と、立棒１０２の前面に、上下昇降することができるように取り付けられている工具台４と、立棒１０２の前方の台座１の上面１０１に、加工物を載置しながら前後左右に移動し、その工具台４に相対する位置を調整することができるように取り付けられている加工物保持台３とからなるものであった。
【０００３】
前記従来の加工機械は、通常、大型の加工物を加工する際、その加工作業をうまく進行することができるようにさせるため、工具台４の工具を台座１の上面１０１に対して垂直に取り付けてなる軸線４０１と立棒１０２の前面との間の距離（喉厚とも称し、以下、Ｌ１で示す）が、加工物保持台３の立棒１０２の前面への移動できる距離（以下、Ｌ２で示す）より大きくなるように構成されていた（即ち、Ｌ１＞Ｌ２。）。しかし、軸線４０１と立棒１０２の前面との間の距離（Ｌ１）が大きくなればなるほど、工具台４と立棒１０２との間の連結力も工具台４の剛性もそれに従って低下する。それに、工具台４と立棒１０２との間の連結力が低下すると、その工具の台座１の上面１０１に対して垂直になるべき軸線４０１が正当の位置からずれて加工作業上の精度が不良になりやすいという欠点がある。
【０００４】
尚、大型の加工物、特に、対称性形状を持つ大型の加工物に加工作業を行うに際しては、例えば、加工物の立棒１０２に近い一方の側に加工を行った後、加工物保持台３を介して加工物を前後方向に沿って立棒１０２に近くなるように移動させ、立棒１０２に遠い他方の側（対称性形状を持つものでは前の加工位置の対称位置となる場合がある。）に更なる加工を行なう。したがって、図示の従来例には、立棒１０２の前面の下方に窪み１０３が設けられており、それにより、加工物の立棒１０２に近付く際の立棒１０２の根元に衝突することを避けることができる。しかし、立棒１０２の下面に窪み１０３を設けることは、該立棒１０２にかかる応力がそこに集中し、立棒１０２の強度を弱めるという欠点がある。
【考案の開示】
【考案が解決しようとする課題】
【０００５】
上記に鑑みて、本考案は加工物の加工精度及び構造全体の強度が向上した加工機械を提供することをその目的とする。
【課題を解決するための手段】
【０００６】
上記目的を達成するため、本考案は、水平面に沿う上面を有する台座と、前記台座の上面に立設されている立棒と、前記立棒の前面に、上下昇降することができるように取り付けられている工具台と、前記立棒の前方の前記台座の上面に、加工物を載置しながら前後左右に移動し、前記工具台に相対する位置を調整することができるように取り付けられている加工物保持台とからなった加工機械において、前記加工物保持台には、前記台座の上面への垂直線を軸として回転しながら加工物を載置する回転台が設置されており、また、前記工具台の工具を前記台座の上面に対して垂直に取り付けてなる軸線と前記立棒の前面との間の距離は、前記加工物保持台の前記立棒の前面への移動できる距離より短いことを特徴とする加工機械を提供する。
【０００７】
さらに、本考案は、前記加工機械における前記加工物保持台を、前記台座の上面に沿って前後左右に移動することができるように設置構成されている摺動台と、前記摺動台に前記台座の上面への垂直線を軸として回転しながら加工物を載置することができるように設置構成されている前記回転台とを備えるように構成したことを特徴とし、即ち、水平面に沿う上面を有する台座の上面に、加工物を載置しながら前後左右に移動し、前記工具台に相対する位置を調整することができるように取り付けられている加工物保持台とからなった加工機械において、前記加工物保持台は、前記台座の上面に沿って前後左右に移動することができるように設置構成されている摺動台と、前記摺動台に前記台座の上面への垂直線を軸として回転しながら加工物を載置することができるように設置構成されている回転台とを備えており、また、前記工具台の工具を前記台座の上面に対して垂直に取り付けてなる軸線と前記立棒の前面と間の距離は、前記加工物保持台の前記立棒の前面への移動できる距離より短いことを特徴とする加工機械も提供する。
【考案の効果】
【０００８】
上記構成による加工機械は、加工物保持台に回転台が設置されていてそれにより加工物の方位を回転・変更することができるため、大型の加工物、特に、対称性形状を持つ大型の加工物に加工作業を行うに際して、例えば、加工物の立棒に近い一方の側に加工を行った後、加工物保持台全体を介して加工物を前後方向に沿って立棒に近くなるように移動しなくても、ただ回転台の回転によりもともと立棒の遠い他方の側（対称性形状を持つものでは前の加工位置の対称位置である場合がある。）を工具台の工具の下に移動し、それに更なる加工を行うことができる。したがって、工具台の工具を台座の上面に対して垂直に取り付けてなる軸線と立棒との間の距離を、加工物保持台の前記立棒の前面への移動できる距離よりある程度長く構成する必要も、立棒の前面の下方に窪みを設ける必要もない。それがために、立棒の強度を十分に保持することができる上、工具台の工具を台座の上面に対して垂直に取り付けてなる軸線と立棒との間の距離が、大きく減少され、加工物保持台の前記立棒の前面への移動できる距離より短いので、従来の加工機械に比べて工具台のその工具の軸線からずれて加工不良になることが減少でき、加工精度を向上させることができる。
【考案を実施するための最良の形態】
【０００９】
下記図示を参照しつつ好適な実施例を説明する。
【００１０】
本考案の好適な実施例としての加工機械は、図３、４に示すように、水平面に沿う上面を有する台座１０と、台座１０の上面に立設されている立棒１２と、立棒１２の前面１２１に、上下昇降することができるように取り付けられている工具台４０と、立棒１２の前方１２１の台座１０の上面に、加工物１００を載置しながら前後左右に移動し、工具台４０に相対する位置を調整することができるように取り付けられている加工物保持台３０とからなった加工機械において、加工物保持台３０には、台座１０の上面への垂直線を軸として回転しながら加工物を載置する回転台３２が設置されており、工具台４０の工具を台座１０の上面に対して垂直に取り付けてなる軸線４２と立棒１２の前面１２１との間の距離（Ｌ１'）が、加工物保持台３０の立棒の前面１２１への移動できる距離（Ｌ２'）より短く、且つ、立棒１２の形状が上下ほぼ一致しているように構成されているものである。
【００１１】
そして、図５と合わせてみると、加工物保持台３０は、台座１０の上面に沿って前後左右に移動することができるように設置構成されている摺動台３１と、摺動台３１に台座１０の上面への垂直線（図示のＺ方向）を軸として回転しがら加工物１００を載置することができるように設置構成されている回転台３２とを備えている。
【００１２】
摺動台３１は、台座１０の上面に沿って前後（図示のＹ方向）に移動することができるように設置構成されている第１のスライド台３１１と、第１のスライド台３１１の上面に沿って左右（図示のＸ方向）に移動することができるように設置構成されている第２のスライド台３１２とからなっていて、回転台３２を第１のスライド台３１１によって台座１０の上面に前後移動し、第２のスライド台３１２によって第１のスライド台３１１の上面に左右移動することができるものである。
【００１３】
次に、第１のスライド台３１１の台座１０の上面に対する前後移動は、台座１０の上面に前後延在している一対の案内レール１１１と、該一対の案内レール１１１の間に前後方向（図示のＹ方向）に延伸するように設けられている上、第１のスライド台３１１の下にそれを一対の案内レール１１１に沿って駆動させることができるように設置されているスクリュー１１２とよるものである。
【００１４】
また、第２のスライド台３１２の第１のスライド台３１１の上面に対する左右（図示のＸ方向）移動は、第１のスライド台３１１の上面に左右（図示のＸ方向）延在している一対の案内レール２１と、該一対の案内レール２１の間に前後方向（図示のＹ方向）に延伸するように設けられている上、第２のスライド台３１２の下にそれを一対の案内レール２１の沿って駆動させることができるように設置されているスクリュー２２とによるものである。
【００１５】
前記加工機械は、加工作業を行う時に、まず、加工物１００を加工物保持台３０の上面の回転台３２に載置させ、第１のスライド台３１１による前後移動及び第２のスライド台３１２による左右移動の外に、回転台３２によりその上に載置した加工物の方位を変更することができるので、大型の加工物、特に、対称性形状を持つ大型の加工物に加工作業を行うに非常に便利である。
【００１６】
以上、記述したものは本考案の好適な実施形態の一つであって、本考案を限定するものではなく、本考案の実用新案登録請求の範囲及び明細書に基づいて簡単な変更や修飾を加えたものも本考案の範囲に属する。
【産業上の利用可能性】
【００１７】
本考案の構成による加工機械は、立棒と工具台の工具の軸線との間の距離が加工物保持台の前記立棒の前面への移動できる距離より短いこと、及びその立棒の上下形状がほぼ一致していることにより、加工物の加工精度と加工機械の全体構造の強度を向上させることができる。
【図面の簡単な説明】
【００１８】
【図１】公知の加工機械の斜視図。
【図２】図１の加工機械の側面図。
【図３】本考案にかかる好適な実施形態の加工機械の側面図。
【図４】本考案にかかる好適な実施形態の加工機械の正面図。
【図５】本考案にかかる好適な実施形態の加工物保持台の斜視図。
【符号の説明】
【００１９】
１０．．．台座
１２．．．立棒
１２１．．．前面
３０．．．加工物保持台
３１．．．摺動台
３１１．．．第１のスライド台
３１２．．．第２のスライド台
１１２、２２．．．スクリュー
１１１、２１．．．案内レールバー
３２．．．回転台
４０．．．工具台
４２．．．軸線
１００．．．加工物
【図１】
0003111613.tif 000003
【図２】
0003111613.tif 000004
【図３】
0003111613.tif 000005
【図４】
0003111613.tif 000006
【図５】
0003111613.tif 000007